(57)【要約】【課題】海水の汚濁を抑えつつ、海藻類と一緒に回収した根本部分の土壌を崩すことなく移設して、海藻類の根付きを良好にする海藻類の移設方法および移設装置を提供する。【解決手段】上部および底部を開口した筒状の回収ケース１を、バックホウ３のブーム４の先端部に取り付けた圧入アタッチメント５を用いて、海底の土壌Ｓに上方から圧入した後、圧入アタッチメント５から付け替えたスライドアタッチメントを用いて、回収ケース１の底部に底板を装着して閉口し、回収ケース１の内部に海藻類Ｗを土壌Ｓとともに収容し、この回収ケース１を台船７上に仮置きして移動し、移設先の土壌に回収ケース１を設置後、スライドアタッチメントを用いて底板を除去して、海藻類Ｗを土壌Ｓとともに、その土壌に配置してから回収ケース１を引き揚げる【選択図】図１
2007143419.tif 000002
【特許請求の範囲】
【請求項１】
海底の土壌に根付いて生息する海藻類を根本部分の土壌とともに他の海底に移設する海藻類の移設方法において、上部および底部を開口した筒状の回収ケースを前記海藻類が生息している海底の土壌に上方から圧入し、前記回収ケースの底部に横方向から底板をスライドさせて装着して底部を閉口し、前記回収ケースの内部に前記海藻類を根本部分の土壌とともに収容した状態にして、仮置き場所に仮置きする回収工程を繰返した後、該仮置きした回収ケースを移設先に移動させて、該移設先の海底の土壌に設置し、前記底板を横方向にスライドさせて取り除いて内部に収容していた海藻類を根本部分の土壌とともに移設先の海底の土壌に配置した後、その回収ケースを海底から引き揚げる海藻類の移設方法。
【請求項２】
台船上にバックホウを載置し、該バックホウのブームの先端部に前記回収ケースを取り付けて前記海底の土壌への圧入を行ない、該バックホウの油圧機構により前記底板を横方向にスライドさせて、前記回収ケースの底部への着脱を行ない、前記台船上に前記回収ケースを仮置して前記台船で移設先に移動させる請求項１に記載の海藻類の移設方法。
【請求項３】
前記海藻類の移設先領域外周に、海藻類とともに移設した根本部分の土壌の洗掘を防止する洗掘防止部を形成する請求項１または２に記載の海藻類の移設方法。
【請求項４】
海底の土壌に根付いて生息する海藻類を根本部分の土壌とともに収容する回収ケースを備えた海藻類の移設装置において、前記回収ケースを上部および底部を開口した筒状に形成し、該回収ケースの底部を横方向にスライドして底部を閉口させる着脱可能な底板と、前記回収ケースをブームの先端部に着脱可能なバックホウと、該バックホウを載置する台船とを備え、前記バックホウの油圧機構により前記底板を横方向にスライドさせて前記回収ケースに着脱させるようにした海藻類の移設装置。
【発明の詳細な説明】
【技術分野】
【０００１】
本発明は、海藻類の移設方法および移設装置に関し、さらに詳しくは、移設作業によって生じる海水の汚濁を抑えるとともに、海藻類と一緒に回収した根本部分の土壌を崩すことなく移設して、移設先での海藻類の根付きを良好にできる海藻類の移設方法および移設装置に関するものである。
【背景技術】
【０００２】
構造物を建設する等の工事海域に多くの海藻類が生息している場合や絶滅が危惧されている海藻類が生息している場合は、環境保護等の観点から、これらの海藻類を工事海域外に移設して、保護することが行われている。
【０００３】
海藻類の移設については、例えば、海藻類を根本部分の土壌とともに回収ボックスに回収し、この回収ボックスを移設先に移動させた後、回収ボックスを傾斜させて、海藻類を土壌と一緒に回収ボックスから排出させて、移設先の海底に配置する方法が提案されている（特許文献１参照）。
【０００４】
しかしながら、この提案では、土壌が傾斜状態で回収ボックスから排出されるので崩れて散乱し易く、また、排出される際には波動が直接、土壌にあたるので土壌が崩れ易いという問題があった。根本部分の土壌が崩れて土壌が少なくなった状態で移設された海藻類は、移設先の土壌で安定せず、根付きが悪いので、根本部分の土壌を崩すことなく移設でき、根付きを良好にできる海藻類の移設手段が求められていた。
【特許文献１】特開２００１−２１８５３３号公報
【発明の開示】
【発明が解決しようとする課題】
【０００５】
本発明の目的は、移設作業によって生じる海水の汚濁を抑えるとともに、海藻類と一緒に回収した根本部分の土壌を崩すことなく移設して、移設先での海藻類の根付きを良好にできる海藻類の移設方法および移設装置を提供することにある。
【課題を解決するための手段】
【０００６】
上記目的を達成するため本発明の海藻類の移設方法は、海底の土壌に根付いて生息する海藻類を根本部分の土壌とともに他の海底に移設する海藻類の移設方法において、上部および底部を開口した筒状の回収ケースを前記海藻類が生息している海底の土壌に上方から圧入し、前記回収ケースの底部に横方向から底板をスライドさせて装着して底部を閉口し、前記回収ケースの内部に前記海藻類を根本部分の土壌とともに収容した状態にして、仮置き場所に仮置きする回収工程を繰返した後、該仮置きした回収ケースを移設先に移動させて、該移設先の海底の土壌に設置し、前記底板を横方向にスライドさせて取り除いて内部に収容していた海藻類を根本部分の土壌とともに移設先の海底の土壌に配置した後、その回収ケースを海底から引き揚げることを特徴とするものである。
【０００７】
また、本発明の海藻類の移設装置は、海底の土壌に根付いて生息する海藻類を根本部分の土壌とともに収容する回収ケースを備えた海藻類の移設装置において、前記回収ケースを上部および底部を開口した筒状に形成し、該回収ケースの底部を横方向にスライドして底部を閉口させる着脱可能な底板と、前記回収ケースをブームの先端部に着脱可能なバックホウと、該バックホウを載置する台船とを備え、前記バックホウの油圧機構により前記底板を横方向にスライドさせて前記回収ケースに着脱させるようにしたことを特徴とするものである。
【発明の効果】
【０００８】
本発明の海藻類の移設方法によれば、上部および底部を開口した筒状の回収ケースを海藻類が生息している海底の土壌に上方から圧入するので、土壌には、主に垂直な外力だけが加わることになり、土壌の巻上げを抑えることができる。土壌に圧入した回収ケースの底部には、横方向から底板をスライドさせて装着して底部を閉口し、回収ケースの内部に海藻類を根本部分の土壌とともに収容した状態にして、仮置き場所に仮置きする回収工程を繰返すので、海水の汚濁を抑制し、根本部分の土壌を十分に確保して移設する海藻類を回収できる。
【０００９】
仮置きした回収ケースは移設先に移動させて、回収ケースをそのままの状態で移設先の海底の土壌に設置して、底板を横方向にスライドさせて取り除くので、収容した土壌には過度の力が加わらず、また、波動が直接当たることがないので、根本部分の土壌を崩壊、散乱させることがない。これにより、回収した海藻類を根本部分の土壌とともに安定して移設先の土壌に配置できる。安定して配置した後に、その回収ケースを海底から引き揚げることで、海藻類の根付きを良好にして移設を完了することができる。
【００１０】
本発明の海藻類の移設装置によれば、台船上に載置されたバックホウによって、ブームの先端部に取り付けた筒状の回収ケースを上方移動および下方移動させることができる。また、バックホウの油圧機構によって、底板を横方向にスライドさせて、回収ケースの底部に着脱することができる。移設先へは台船によって移動ができる。
【００１１】
これにより、土壌の巻上げを抑えて、回収ケースを海藻類が生息している海底の土壌に上方から圧入することができる。また、底板によって回収ケースの底部を閉口、開口させて、回収ケースの内部に海藻類を根本部分の土壌とともに収容し、移設先の土壌に配置することで、根本部分の土壌を十分に確保して、崩壊、散乱させずに移設先の土壌に配置でき、海藻類の根付きを良好にして移設を完了することができる。
【発明を実施するための最良の形態】
【００１２】
以下、本発明の海藻類の移設方法および移設装置を図に示した実施形態に基づいて説明する。図１、図２に移設装置の全体概要を例示する。台船７にはバックホウ３が載置され、そのブーム４の先端部には、圧入アタッチメント５を介して回収ケース１が取り付られている。
【００１３】
この回収ケース１は、図３に例示するように、上部および底部を開口し、四角形の側壁で四方を囲まれた筒状となっている。回収ケース１の底部には底板挿入口１ａが設けられ、横方向にスライドする底板２が着脱可能となっている。底板２をスライドさせて装着すると、回収ケース１の底部を閉口することができる。回収ケース１の形状は、図３のような直方体状に限定されることはないが、複数の回収ケース１を密にして配置するには、このような形状が好ましい。
【００１４】
図４に、バックホウ３のブーム４の先端部に取り付られる圧入アタッチメント５を例示する。圧入アタッチメント５は、バックホウ３のブーム４およびシリンダロッド４ａの先端部と着脱可能で、四隅のコーナー突部５ａを回収ケース１の上端部の角部に合わせ、図示しない可動爪によって回収ケース１と着脱できる構造であり、圧入アタッチメント５によって回収ケース１が保持可能となっている。
【００１５】
図５に、バックホウ３のブーム４の先端部に取り付られるスライドアタッチメント６を例示する。このスライドアタッチメント６は、回収ケース１の底板挿入口１ａに底板２を着脱させるアタッチメントである。先端上部には、回収ケース１の上端部に係止して回収ケース１を固定する固定爪６ａを有し、後端部にはブーム４の先端部に接続するための接続部６ｅを備えている。
【００１６】
また、バックホウ３の油圧機構につながれた油圧ホースに接続される油圧シリンダ６ｂを内蔵している。この油圧シリンダ６ｂには、底板２の係止部２ａに係合する底板係止爪６ｄが備わり、シリンダロッド６ｃの伸縮とともに、この底板係止爪６ｄが進退する。
【００１７】
以下、この移設装置を用いた海藻類の移設方法を説明する。まず、バックホウ３のブーム４の先端部に圧入アタッチメント５を取付け、図６に示すように、底板２を装着していない回収ケース１を圧入アタッチメント５で保持して、バックホウ３によって、略垂直に下方移動させて海藻類Ｗが生息している海底の土壌Ｓ（砂等）に圧入する。バックホウ３の操作によって容易に回収ケース１を土壌Ｓに圧入でき、土壌Ｓには、主に垂直な外力だけが加わるので、土壌Ｓの巻上げを抑えることができる。例えば、複数の回収ケース１を碁盤目状に間隔を密にして土壌Ｓに圧入、配置する。
【００１８】
この回収ケース１の土壌Ｓへの圧入は、他の方法を用いることができる。例えば、台船７にクレーンが設置されていれば、このクレーンを使用して回収ケース１の自重によって、土壌Ｓへ圧入させる。移設する海藻類Ｗとして適しているのは、例えば、アマモ、リュウキュウスガモ、ウミショウブ等の砂泥性の海藻類である。
【００１９】
次いで、図７に示すように回収ケース１を配置した外周側の土壌Ｓ１を除去して回収ケース１の底板挿入部１ａを露出させる。この際、スライドアタッチメント６が水平に配置できるように土壌Ｓ１を除去する。
【００２０】
土壌Ｓ１を除去した後は、ブーム４の先端部の圧入アタッチメント５をスライドアタッチメント６に付替える。台船７上でスライドアタッチメント６の底板係止爪６ｄに底板２を係止させ、油圧シリンダ６ｂにバックホウ３の油圧機構につながった油圧ホース３ａを接続した状態にする。この状態でスライドアタッチメント６をバックホウ３により下方移動させ、図８に示すように固定爪６ａを回収ケース１の上端部に係止させて、底板２の位置を底板挿入口１ａに合わせて回収ケース１と固定させる。この時、スライドアタッチメント６の油圧シリンダ６ｂのシリンダロッド６ｃは伸びた状態にあり、底板２はスライドアタッチメント６に格納されている。
【００２１】
次いで、油圧ホース３ａの油圧を調整する操作弁３ｂを操作してシリンダロッド６ｃを縮めて底板２を横方向にスライドさせて、回収ケース１に装着して底部を閉口する。これによって、回収ケース１の内部には、海藻類Ｗが根本部分の土壌Ｓとともに収容される。その後、底板２をそのままにしてスライドアタッチメント６を回収ケース１から取り外す。
【００２２】
次いで、図９に示すように、海藻類Ｗを土壌Ｓと一緒に収容した回収ケース１を吊りワイヤ８等を用いて吊上げて台船７上に仮置きする。吊上げには、バックホウ３を用いるが、台船７にクレーンが設置されている場合は、このクレーンを用いてもよく、別の船に設置されたクレーン等を使用してもよい。
【００２３】
上記のような海底から台船７上に海藻類Ｗを回収する回収工程を繰返して行なう。この回収工程によって、海水の汚濁を抑制し、根本部分の土壌Ｓを回収ケース１内部に十分に確保して移設する海藻類Ｗを回収できる。尚、一つの列のすべての回収ケース１に底板２を装着した後に、これらの回収ケース１の吊上げを行なうと作業効率が向上する。
【００２４】
台船７上に仮置きした回収ケース１は、養生シートで覆って海水を適宜、散布して海藻類を養生する。回収ケース１を仮置きした台船７を移設先に移動させ、図１０に示すように仮置きした回収ケース１を吊りワイヤ８等を用いて移設先の海底の土壌Ｓ２に設置する。
【００２５】
次いで、バックホウ３のブームの先端部に取り付けたスライドアタッチメント６を下方移動させ、図１１に示すように固定爪６ａを回収ケース１の上端部に係止させ、スライドアタッチメント６と回収ケース１と固定させて、底板係止爪６ｄと底板２の係止部２ａとを係合させる。この時、スライドアタッチメント６の油圧シリンダ６ｂのシリンダロッド６ｃは縮んだ状態にある。
【００２６】
その後、油圧を調整する操作弁３ｂを操作してシリンダロッド６ｃを伸ばして底板２を横方向にスライドさせて、回収ケース１から取り除き、底部を開口する。これによって、回収ケース１の内部の海藻類Ｗが根本部分の土壌Ｓとともに移設先の土壌Ｓ２に配置される。この際に、収容されていた土壌Ｓには過度の力が加わらず、また、波動が直接当たることがないので、土壌Ｓを崩壊、散乱させることがない。したがって、回収した海藻類Ｗを根本部分の土壌Ｓとともに安定して移設先の土壌Ｓ２に配置できる。
【００２７】
この底板２を取り外す作業を一列に並んだ回収ケース１に対して行い、底板２を取り除いた回収ケース１の列に隣接させて、図１０に示すように次の列となる回収ケース１を土壌Ｓ２に設置する。このように、列毎に回収ケース１の土壌Ｓ２への設置と底板２の除去を繰返して、台船７上のすべての回収ケース１を土壌Ｓ２に設置し、回収した海藻類Ｗを移設先の土壌Ｓ２に配置する。例えば、回収した時のように複数の回収ケース１を碁盤目状に間隔を密にして配置する。
【００２８】
根本部分の土壌Ｓ１とともに海藻類Ｗを移設先の土壌Ｓ２に配置した後、図１２に示すように回収ケース１を吊りワイヤ８等で台船７上に引き揚げる。海藻類Ｗを安定して配置した後に、その回収ケース１を海底から引き揚げることで、海藻類Ｗの根付きが良好になる。
【００２９】
続けてこの場所に隣接して海藻類Ｗを移設する場合は、最外周に設置した回収ケース１は引き揚げず、次の回収ケース１が設置されるまでそのまま残しておく。これにより、最外周に配置された土壌Ｓが洗掘されることがない。回収ケース１を除去した後には、すき間ができるので例えば、元々海藻類Ｗが生息していた土壌Ｓ（砂等）で間詰する。
【００３０】
すべての回収ケース１を引き揚げて移設が完了した移設領域では、移設先の土壌Ｓ２から突出している最外周の土壌Ｓが波や潮流で洗掘され易いので、図１３に示すように移設先領域外周に洗掘防止部９を形成することが好ましい。図１３では洗掘防止部９が潜堤となっているが、その他に消波ブロック等を配置してもよい。
【００３１】
また、図１４に示すように、洗掘防止部９を溝状にしてもよく、移設先の土壌Ｓ２を掘って溝を形成しておき、この溝領域に海藻類Ｗを移設する。移設先のすべての領域を掘ることは作業が大変なので、最外周となる領域を最も深くした階段状または傾斜状の溝にしてもよい。
【００３２】
実施形態では、海藻類Ｗを根本部分の土壌Ｓと一緒に収容した回収ケー１を台船７上に仮置きしているが、移設先が近傍であれば周辺海底の土壌Ｓに仮置きしてもよい。一度に移設する海藻類Ｗの量、即ち、移設する回収ケース１の数は、移設先までの移動時間、作業時間等を考慮して、仮置きしている海藻類Ｗが衰弱しないように決定する。したがって、広範囲の海藻類Ｗの移設をする場合は、複数に分けて移設作業を行なうようにする。
【図面の簡単な説明】
【００３３】
【図１】本発明の海藻の移設装置の全体概要を例示する平面図である。
【図２】図１の側面図である。
【図３】本発明の海藻類の移設装置を構成する回収ケースおよび底板を例示する斜視図である。
【図４】回収ケースと回収ケースを海底の土壌に圧入する際に取り付けるバックホウの圧入アタッチメントを例示する側面図である。
【図５】回収ケースと回収ケースの底板を着脱する際に取り付けるバックホウのスライドアタッチメントを例示する側面図である。
【図６】本発明の海藻類の移設方法の最初の工程を例示する側面図である。
【図７】図６の次の工程を例示する側面図である。
【図８】図７の次の工程を例示する側面図である。
【図９】図８の次の工程を例示する側面図である。
【図１０】図９の次の工程を例示する側面図である。
【図１１】図１０の次の工程を例示する側面図である。
【図１２】図１１の次の工程を例示する側面図である。
【図１３】海藻類を移設した領域の外周部を例示する側面図である。
【図１４】海藻類を移設した領域の外周部の別の例を示す側面図である。
【符号の説明】
【００３４】
１  回収ケース  １ａ  底板挿入口
２  底板        ２ａ  係止部
３  バックホウ  ３ａ  油圧ホース    ３ｂ  操作弁
４  ブーム      ４ａ  シリンダロッド
５  圧入アタッチメント    ５ａ  コーナー突部
６  スライドアタッチメント    ６ａ  固定爪
６ｂ  油圧シリンダ    ６ｃ  シリンダロッド    
６ｄ  底板係止爪      ６ｅ  連結部
７  台船
８  吊りワイヤ
９  洗掘防止部
【図１】
2007143419.tif 000003
【図２】
2007143419.tif 000004
【図３】
2007143419.tif 000005
【図４】
2007143419.tif 000006
【図５】
2007143419.tif 000007
【図６】
2007143419.tif 000008
【図７】
2007143419.tif 000009
【図８】
2007143419.tif 000010
【図９】
2007143419.tif 000011
【図１０】
2007143419.tif 000012
【図１１】
2007143419.tif 000013
【図１２】
2007143419.tif 000014
【図１３】
2007143419.tif 000015
【図１４】
2007143419.tif 000016